(57)【要約】【課題】記録媒体へ画像を記録する場合において、記録媒体への書き込み速度には制限があることから、信頼性を確保して、記録媒体の転送能力以上のデータを記録するには記録に時間を要して実時間で記録することができない。【解決手段】データの記録時に記録データの構成、種別や属性情報等から、記録時にデータの内容に応じてベリファイ処理を行うか行わないかを判断して記録処理を行うことにより、データの記録転送速度の低下を最小限に抑えつつ記録データの信頼性を向上させることが可能とする。また、データの読み出し時にも、記録媒体に記録されているデータの管理データを参照して、読み出すデータの構成、種別や属性情報等から、データの内容に応じて読み出し時に読み出しデータの検査を行うか行わないかを判断して読み出し処理を行う。【選択図】図１
2005160060.tif 000002
【特許請求の範囲】
【請求項１】
データの構成、種別や属性の少なくとも１つを判定する判定手段と、
前記データを保存手段に記録する記録手段と、
記録したデータの記録ベリファイ処理をする記録ベリファイ手段と、
前記判定手段の判定結果に基づき、前記データの少なくとも一部のデータに対して前記記録ベリファイ手段がベリファイ処理を行うよう制御する記録制御手段と、
を備えたデータ記録装置。
【請求項２】
前記記録制御手段は、
前記記録ベリファイ手段でベリファイ処理した結果に応じて、前記少なくとも一部のデータを前記保存手段に再記録するよう前記記録手段を制御する、請求項１記載のデータ記録装置。
【請求項３】
前記記録ベリファイ手段は、
前記保存手段に記録する前の前記少なくとも一部のデータを記憶する一時記憶手段と、
前記保存手段から読み出した前記少なくとも一部のデータと、前記一時記憶手段で記憶された前記少なくとも一部のデータとを比較する比較手段と、
を備えた、請求項１記載のデータ記録装置。
【請求項４】
前記記録制御手段は、前記少なくとも一部のデータが前記データの他の部分に影響を及ぼす場合、前記少なくとも一部のデータにベリファイ処理が行われるよう制御する、請求項１記載のデータ記録装置。
【請求項５】
前記記録制御手段は、前記少なくとも一部のデータが静止画像、ＭＰＥＧデータ中のＩ−Ｐｉｃｔｕｒｅ（ｉｎｔｒａ−ｃｏｄｅｄ  ｐｉｃｔｕｒｅ）、又はサブピクチャ情報である場合、前記少なくとも一部のデータにベリファイ処理が行われるよう制御する、請求項１記載のデータ記録装置。
【請求項６】
前記記録制御手段は、前記少なくとも一部のデータがヘッダ情報又はＭＰＥＧデータのパック構成内での管理情報である場合、前記少なくとも一部のデータにベリファイ処理が行われるよう制御する、請求項４に記載のデータ記録装置。
【請求項７】
保存手段に記録されたデータを読み出す読み出し手段と、
読み出したデータの構成、種別や属性の少なくとも１つを判定する判定手段と、
前記読み出したデータから少なくとも一部のデータのベリファイ処理をする再生ベリファイ手段と、
前記判定手段の判定結果に基づき、前記読み出したデータの前記少なくとも一部のデータに対して前記再生ベリファイ手段がベリファイ処理を行うよう制御する再生制御手段と、
を備えたデータ再生装置。
【請求項８】
前記再生制御手段は、
前記再生ベリファイ手段でベリファイ処理した結果に応じて、前記少なくとも一部のデータを再読み出しするよう前記読み出し手段を制御する、請求項７記載のデータ再生装置。
【請求項９】
前記再生ベリファイ手段は、エラーチェックサムを使用して、前記少なくとも一部のデータを検査する手段を含む、請求項７記載のデータ再生装置。
【請求項１０】
前記再生制御手段は、前記少なくとも一部のデータが前記データの他の部分に影響を及ぼす場合、前記少なくとも一部のデータにベリファイ処理が行われるよう制御する、請求項７記載のデータ再生装置。
【請求項１１】
前記再生制御手段は、前記少なくとも一部のデータが静止画像、ＭＰＥＧデータ中のＩ−Ｐｉｃｔｕｒｅ（ｉｎｔｒａ−ｃｏｄｅｄ  ｐｉｃｔｕｒｅ）、又はサブピクチャ情報である場合、前記少なくとも一部のデータにベリファイ処理が行われるよう制御する、請求項７記載のデータ再生装置。
【請求項１２】
請求項１記載のデータ記録装置の保存手段に記録されたデータを再生するデータ再生装置であって、
前記保存手段に記録された前記データを読み出す読み出し手段と、
読み出した前記データの少なくとも一部のデータに対して再生ベリファイ処理を決定する再生制御手段と、
前記再生制御手段が前記少なくとも一部のデータに対して再生ベリファイ処理を決定する場合、前記少なくとも一部のデータの再生ベリファイ処理をする再生ベリファイ手段とを含み、
前記再生制御手段は、前記再生ベリファイ手段の再生ベリファイ処理の結果に応じて、前記保存手段に記録された前記少なくとも一部のデータを再読み出しするよう前記読み出し手段を制御する、データ再生装置。
【請求項１３】
データ記録再生装置を含む装置であって、前記データ記録再生装置は、請求項１記載のデータ記録装置を含む装置。
【請求項１４】
前記データ記録再生装置は、更に、
前記保存手段に記録された前記データを読み出す読み出し手段と、
読み出したデータから少なくとも一部のデータのベリファイ処理をする再生ベリファイ手段と、
前記判定手段の判定結果に基づき、前記読み出したデータの前記少なくとも一部のデータに対して前記再生ベリファイ手段がベリファイ処理を行うよう制御する再生制御手段とを備え、
前記再生制御手段は、
前記再生ベリファイ手段でベリファイ処理した結果に応じて、前記少なくとも一部のデータを再読み出しするよう前記読み出し手段を制御する、請求項１３記載の装置。
【請求項１５】
前記装置は、デジタルカメラ、デジタルカムコーダー又はコンピュータである請求項１３に記載の装置。
【請求項１６】
データを記録する方法であって、
データの構成、種別や属性の少なくとも１つを判定する判定ステップと、
前記データを保存手段に記録する記録ステップと、
記録したデータのベリファイ処理をする記録ベリファイステップと、
前記判定ステップの判定結果に基づき、前記データの少なくとも一部のデータに対して前記記録ベリファイステップでベリファイ処理を行うよう制御する記録制御ステップと、
を含むデータ記録方法。
【請求項１７】
前記記録制御ステップは、
前記記録ベリファイステップでベリファイ処理した結果に応じて、前記少なくとも一部のデータを前記保存手段に再記録するステップを含む、請求項１６記載のデータ記録方法。
【請求項１８】
前記記録ベリファイステップは、
前記保存手段に記録する前の前記少なくとも一部のデータを記憶する一時記憶ステップと、
前記保存手段から読み出した前記少なくとも一部のデータと、前記一時記憶ステップで記憶された前記少なくとも一部のデータとを比較する比較ステップと、
を含む、請求項１６記載のデータ記録方法。
【請求項１９】
前記記録制御ステップは、前記少なくとも一部のデータが前記データの他の部分に影響を及ぼす場合、前記少なくとも一部のデータにベリファイ処理が行われるよう制御するステップを含む、請求項１６に記載のデータ記録方法。
【請求項２０】
データを読み出す方法であって、
保存手段に記録されたデータを読み出す読み出しステップと、
読み出したデータの構成、種別や属性の少なくとも１つを判定する判定ステップと、
前記読み出したデータのベリファイ処理をする再生ベリファイステップと、
前記判定ステップの判定結果に基づき、前記データの少なくとも一部のデータに対して前記再生ベリファイステップでベリファイ処理を行うよう制御する再生制御ステップと、
を含むデータ再生方法。
【請求項２１】
前記再生制御ステップは、
前記再生ベリファイステップでベリファイ処理した結果に応じて、前記少なくとも一部のデータを再読み出しするステップを含む、請求項２０記載のデータ再生方法。
【請求項２２】
前記再生制御ステップは、前記少なくとも一部のデータが前記データの他の部分に影響を及ぼす場合、前記少なくとも一部のデータにベリファイ処理が行われるよう制御するステップを含む、請求項２０記載のデータ再生方法。
【発明の詳細な説明】
【技術分野】
【０００１】
本発明はディジタル情報分野における情報記録および情報再生に関するものである。
【背景技術】
【０００２】
近年、ディジタル情報の記録において、リライタブルディスク（例えば、ＤＶＤ−ＲＡＭ）、リレコーダブルディスク（例えば、ＤＶＤ−ＲＷ）及びレコーダブルディスク（例えば、ＤＶＤ−Ｒ）等の書き込み可能な記録媒体が急速に普及している。記録媒体へ画像を記録する場合において、記録媒体の書き込み速度には制限があることから容量の多いデータは記録に時間を要する。
【０００３】
特に、リアルタイム書き込みが必要な場合には、実時間で転送されるデータを書き込むことが必要であるが、単位時間当たり記録できるデータ量は制限されている。このような記録媒体の転送速度（書き込み速度）で記録する圧縮データの転送速度の関係から、より高画質の圧縮データを記録媒体へ信頼性が高く高速に書き込むことが望まれている。
【０００４】
特開平１１−１１０１４０号公報には、従来のデータ記録装置を開示している。前記従来のデータ記録装置では、記録媒体へ記録時に記録媒体のデータ転送能力が足りなかった場合には、一時的に前記記録媒体より高速な補助記憶装置に記録データを一時保存しておき、記憶媒体への記録が可能になったときに補助記憶装置から記憶装置にデータを転送している（特許文献１参照。）。
【０００５】
以下、図４を用いて従来の技術を説明する。図４は、従来のデータ記録装置の構成図を示すものである。図４において、４４の記録状態監視部により記憶装置４２への記録状態を監視している。記録管理部４１は記録状態監視部４４が記憶装置４２のデータ転送能力と記録データの転送量から判断した監視結果を用いて記憶装置４２が現在書き込み処理を実行中かどうかを判断して処理実行中の場合には、補助記憶装置４３に記録データを一時保存するものである。
【特許文献１】特開平１１−１１０１４０号公報
【発明の開示】
【発明が解決しようとする課題】
【０００６】
しかしながら、上記のように補助記憶装置を使用していると、リアルタイムでデータの書き込みが必要な場合には、記録媒体の書き込み速度よりもデータの転送量が大きい場合に、補助記憶装置が大量に必要になる可能性がある。またデータの転送を終えても補助記憶装置に記憶されているデータの記憶装置への書き込みを終えるまで実際には書き込みが完了せず、データの転送終了後から実際に記憶装置に書き込み終了するまで遅延が生じることになる。
【０００７】
また、書き込み速度を高速にするために、書き込み時にベリファイ処理（書き込み済のデータを読み出して書き込み前データと比較）を行わない方法もある。その場合、書き込み後の読み出し処理およびデータ比較処理を行わないため、書き込み速度は向上するが、書き込みデータの信頼性が低くなるという欠点があった。
【課題を解決するための手段】
【０００８】
上記課題に鑑み、本発明は記録媒体への記録方法を受け取ったデータの構成、種類や属性を取得してその情報に応じて書き込み時にデータの信頼性を優先するデータの場合には書き込みベリファイ処理をあり、書き込み時にデータ転送速度を優先する場合には書き込みベリファイ処理無しとすることを最も主要な特徴とする。
【発明の効果】
【０００９】
本発明によれば、データを記録媒体に記録する際に、記録するデータの構成、種類や属性情報によりデータの重要性を判断して、データの重要性が高い、すなわち、記録データに対して信頼性がより必要なデータの部分についてのみ書き込み時にベリファイ処理を行うことにより書き込み時の転送速度の低下を最小限に抑えつつ書き込みデータの信頼性の向上が可能となる。
【００１０】
また、記録媒体からのデータの読み出し時にも、記録媒体に記録されているデータの管理データを参照して、読み出すデータの構成、種別や属性情報等から、読み出し時に読み出しデータの検査を行うか行わないかを判断して読み出し処理を行うことにより、データの読み出し転送速度の低下を最小限に抑えつつ読み出しデータの信頼性を向上させることが可能となる。
【発明を実施するための最良の形態】
【００１１】
（実施の形態１）
以下、本発明の実施の形態１について、図１を参照して説明する。図１は、本発明の実施の形態１におけるデータ記録装置の構成を示すブロック図である。
【００１２】
図１において、１１は映像、音声または文字情報の少なくとも一つを含むデータを受け取るデータ受け取り手段、１２は前記データ受け取り手段１１で受け取ったデータの構成、種別や属性を調査してデータの重要性を判断するデータ判定手段、１３は前記データ受け取り手段１１で受け取ったデータの記録方法を前記データ判定手段１２で判定されたデータの重要性に応じて判断を行うデータ記録制御手段、１４は前記データ受け取り手段１１で受け取ったデータを記録するデータ記録手段、１５は前記データ記録手段１４で記録するデータを保存するデータ保存手段、１６は前記データ記録手段１４で記録するデータを一時記憶するデータ一時記憶手段、１７は前記データ保存手段１５に記録したデータを読み出すデータ読み出し手段、１８は前記データ一時記憶手段１６に記録されている保存前のデータと前記データ読み出し手段１７によって読み出された前記データ保存手段１５への記録後のデータを比較して再記録が必要か判断するデータ比較手段である。
【００１３】
図２は本発明の実施の形態１におけるデータ判定手段１２の動作を説明するものである。上記のように構成された実施の形態１のデータ記録装置およびデータ判定方法１２の動作について図１および図２を参照しつつ説明する。
【００１４】
１１のデータ受け取り手段では、映像、音声または文字情報の少なくとも一つを含むデータの受け取りが行われる。データ受け取り手段１１で受け取られたデータは１２のデータ判定手段により、データの構成、種別や属性のような情報の調査が行われ受け取ったデータが該当のデータ中で重要な部分かどうかの判断が行われる。そして１２のデータ判定手段によって判断された重要性に応じて記録媒体、すなわち、データ保存手段にどの様な記録方法で受け取ったデータを記録するかの制御を１３のデータ記録制御手段で行う。１４のデータ記録手段は、データ保存手段１５へ受け取ったデータを記録保存する。その際に受け取ったデータがデータ判定手段１２によって重要性が高いデータ、記録する際の信頼性を高める必要があるデータと判断された場合には、１３のデータ記録制御手段は、データ記録手段１４を制御して、記録データをデータ一時記憶手段１６に一時保存しておく。そして、データ保存手段１５とデータ一時記憶手段１６へのデータ記録保存後には、データ読み出し手段１７によってデータ保存手段１５から読み出しを行い、データ比較手段１８によってデータ一時記憶手段１６に記憶されている記録前のデータ内容と、前記データ保存手段１５への記録後のデータ内容を比較して正しく記録できているか判定する。ここで正しく記録できていないと判断された場合には、データ記録制御手段１３は、データ記録手段１４に再記録の指示を行う。
【００１５】
ここで、データ判定手段１２により重要性が高い、記録信頼性を高くする必要があると判断されたデータとは、例えば動画像に比べてデータ量当たりの表示時間が長い静止画像のようなもののことである。動画像はデータ１フレーム当たりの表示時間は決められており、例え１フレームデータが記録時の信頼性が低くても、動画であるため次のフレームのデータですぐに更新されるために、１フレームの表示時間のみの影響で収まる。しかしながら静止画像の場合には１フレームの表示される時間は任意に設定可能で少なくとも動画像１フレームの表示時間よりは長く設定される場合が殆どであるために、静止画像１フレームの記録時に欠陥があった場合に動画像のそれより表示時間が長くなり影響が大きい。
【００１６】
これに加えて重要性が高いデータ、すなわち、書き込むときの信頼性を高める必要のあるデータとして、以下のようなケースも考えられる。受け取るデータが圧縮画像の場合、その基準となるフレームデータである。これば、基準となるフレームデータに欠陥が存在した場合、その基準となるフレームデータからの差分として構成されるフレームデータに全て影響を与えるためである。
【００１７】
また、データ中のヘッダ情報や受け取るデータがＭＰＥＧデータの場合パック構成内での管理情報は、表示される映像に対する動作指示を含んだり、前後データの位置関係を定義したりして、前後のデータ内容に影響を及ぼすため、重要性の高い、信頼性を高める必要のあるデータと判定され得る。更に、サブピクチャ情報のように表示時間が比較的に長いデータも、重要性の高い、信頼性を高める必要のあるデータと判定され得る。
【００１８】
データ判定方法の判定基準は、以上のように説明した判定基準に限定されるものではなく本発明の趣旨に応じて判断されること、種々の展開が可能なことは当事者にとって明白である。
【００１９】
次に、図２を用いて１２のデータ判定手段の動作をより詳しく説明する。図２において２１および２３は動画像データ、２２は静止画像データである。このようなデータを記録する際にはデータの構成情報を参照して、２１および２３の動画像データを記録する際には記録時のベリファイ処理を行わず、２２の静止画像を記録する際にはベリファイ処理を行う。
【００２０】
動画像データ２１及び２３は、例えば、ＭＰＥＧデータであり、静止画像データ２２は、例えば、ＭＰＥＧデータのＩ−ＰｉｃｔｕｒｅデータまたはＪＰＥＧデータである。
【００２１】
また、記録するデータがＭＰＥＧデータの場合に、図２（ｂ）のようなＭＰＥＧデータのＰｉｃｔｕｒｅ構成内容を判断して、２４および２７はＭＰＥＧデータ中のｉｎｔｒａ−ｃｏｄｅｄ  ｐｉｃｔｕｒｅ（Ｉ−Ｐｉｃｔｕｒｅ）、２５、２６および２８はｂｉｄｉｒｅｃｔｉｏｎａｌｌｙ  ｐｒｅｄｉｃｔｉｖｅ−ｃｏｄｅｄ  ｐｉｃｔｕｒｅ（Ｂ−Ｐｉｃｔｕｒｅ）であった場合には、２４および２７のＩ−Ｐｉｃｔｕｒｅは記録ベリファイあり記録を行い、それ以外のＰｉｃｔｕｒｅの場合には記録ベリファイを行わないようにする。
【００２２】
以上の判断を行うことにより、記録したデータの表示時間の長いデータである静止画像や、ＭＰＥＧのようにフレーム相関データの場合の基準となるＩ−Ｐｉｃｔｕｒｅデータのみベリファイ記録を行うことからデータの記録転送速度の低下を最小限に抑えつつ記録データの信頼性を向上させることが可能となる。
【００２３】
（実施の形態２）
以下、本発明の実施の形態２について、図３を参照して説明する。図３は、本発明の実施の形態２におけるデータ再生装置の構成を示すブロック図である。図３において、１５は映像、音声または文字情報の少なくとも一つを含むデータとそれらのデータの管理データを保存しているデータ保存手段、３１はデータ保存手段１５に記録されているデータを読み出すデータ読み出し手段、３２はデータ読み出し手段３１で読み出された管理データを保存する管理データ記憶手段、３３は管理データ記憶手段３２に保存されている管理データにもとづいてデータの読み出し方法を決定するデータ再生制御手段、３４はデータ読み出し手段３１で読み出されたデータが正しいかどうか判断するデータ再生ベリファイ処理手段である。
【００２４】
ここで、管理データ記憶手段で扱われる管理データとは、例えば、ＤＶＤ規格におけるナビゲーションデータを記録しているＩＦＯファイルのデータである。
【００２５】
上記のように構成された実施の形態２のデータ再生装置の動作について図３を参照しつつ説明する。映像、音声または文字情報の少なくとも一つを含むデータとそれらのデータの管理データを保存しているデータ保存手段１５から、データ読み出し手段３１を用いて、記録されているデータの管理データを読み出す。読み出された管理データは管理データ記憶手段３２に保存管理される。データ保存手段１５から映像、音声または文字情報の少なくとも一つを含むデータを読み出す場合には、管理データ記憶手段３２の読み出すデータの管理情報を参照して読み出すデータの構成、種類や属性に応じてデータ再生制御手段３３により読み出し方法を決定する。データ再生ベリファイ処理手段３４はデータ読み出し方法が読み出しデータ検査ありの場合にエラーチェックサム等を使用して読み出しデータの検査を行い読み出しデータが不正な場合には再読み出しの指示を行う。
【００２６】
ここでデータ再生制御手段３３により読み出しデータの検査が必要と決定されるデータとは、例えば、動画像に比べてデータ量当たりの表示時間が長い静止画像のようなもののことである。動画像はデータ１フレーム当たりの表示時間は決められており、例え１フレームデータが記録時または読み出し時の信頼性が低くても動画であるため次のフレームのデータですぐに更新されるために、１フレームの表示時間のみの影響で収まる。しかしながら静止画像の場合には同じ１フレームのデータ量だが表示される時間は任意に設定可能で少なくとも動画像１フレームの表示時間よりは長く設定される場合が殆どであるために、読み出し時に欠陥があった場合に表示時間が長くなり影響が大きい。
【００２７】
これに加えて重要性が高いデータ、すなわち、読み出し時の信頼性を高める必要のあるデータとして、以下のようなケースも考えられる。読み出すデータが圧縮画像の場合、その基準となるフレームデータである。これば、基準となるフレームデータに欠陥が存在した場合、その基準となるフレームデータからの差分として構成されるフレームデータに全て影響を与えるためである。
【００２８】
また、データ中のヘッダ情報や受け取るデータがＭＰＥＧデータの場合パック構成内での管理情報は、表示される映像に対する動作指示を含んだり、前後データの位置関係を定義したりして、前後のデータ内容に影響を及ぼすため、重要性の高い、信頼性を高める必要のあるデータと判定され得る。更に、サブピクチャ情報のように表示時間が比較的に長いデータも、重要性の高い、信頼性を高める必要のあるデータと判定され得る。データ判定方法の判定基準は、以上のように説明した判定基準に限定されるものではなく本発明の趣旨に応じて判断されること、種々の展開が可能なことは当事者にとって明白である。
【００２９】
以上の判断を行うことにより、記録したデータの表示時間の長いデータである静止画像や、ＭＰＥＧのようにフレーム相関データの場合の基準となるデータのみ読み出し時データ検査を行うことからデータの読み出し転送速度の低下を最小限に抑えつつ読み出しデータの信頼性を向上させることが可能となる。
【００３０】
前記データ記録装置と前記データ再生装置は、結合されて１つのデータ記録再生装置を形成することができ、このデータ記録再生装置は、例えば、デジタルカメラ、デジタルカムコーダー及びコンピュータのような他の装置に用いられることは、当業者にとって自明なことである。
【産業上の利用可能性】
【００３１】
本発明にかかるデータ記録再生方法は、データ受け取り部分にデータの内容を判断するステップを挿入することによって、記録するデータの転送速度と記録媒体の転送速度の関係で記録するデータの転送速度の調整が不可欠な用途にも適用可能である。
【図面の簡単な説明】
【００３２】
【図１】本発明の実施の形態１におけるデータ記録装置の構成を示すブロック図
【図２】データ判定手段の動作を説明する概念図
【図３】本発明の実施の形態２におけるデータ再生装置の構成を示すブロック図
【図４】従来のデータ記録装置の構成を示すブロック図
【符号の説明】
【００３３】
１１    データ受け取り手段
１２    データ判定手段
１３    データ記録制御手段
１４    データ記録手段
１５    データ保存手段
１６    データ一時記憶手段
１７    データ読み出し手段
１８    データ比較手段
【図１】
2005160060.tif 000003
【図２】
2005160060.tif 000004
【図３】
2005160060.tif 000005
【図４】
2005160060.tif 000006